(57)【特許請求の範囲】
【請求項１】
複数のループ状ネットワークで成り、ネットワーク内の複数の局のいずれからも当該ネットワーク内の他のすべての局へ片方向通信ができる光ネットワークシステムであって、隣接するループ状ネットワーク間に配置された接続ノードを備え、前記局のいずれにも最低１波長が割り当てられ、前記局のいずれもが、割り当てられた波長を用いて情報を発信し、他のいずれの局から発信されたいずれの波長の情報も受信することができ、かつ必要な波長の情報のみを選択して受信する対向局を選択することができ、前記局のいずれもが、波長の情報の積込み機能と積替え機能を有し、かつ自局から発信した波長の情報の多重周回を防ぐために前記ネットワーク内を周回してきた自局発の波長の情報を破棄する機能を有し、前記接続ノードは、一方のループ状ネットワークからのすべての波長の情報をいったん取込んで保持するとともに他方のループ状ネットワークに周回させ、前記他方のループ状ネットワーク内の局で積み替えられた波長の情報を、保持していた当該波長の情報に積み替えて前記一方のループ状ネットワークに送出する機能を有することを特徴とする放送型光ネットワークシステム。
【請求項２】
少なくとも１つのループ状ネットワークの信号伝送方式として波長多重方式を採用したことを特徴とする請求項１に記載の放送型光ネットワークシステム。
【請求項３】
任意のループ状ネットワーク内に収容ノードを設け、当該収容ノードに複数の局を接続し、各局から当該収容ノードを介して前記複数のループ状ネットワークに情報を発信し、かつ他局からの情報を受信するようにしたことを特徴とする請求項１または２に記載の放送型光ネットワークシステム。
【請求項４】
複数のループ状ネットワークがメインループをなすネットワークとそれに隣接するサブループをなすネットワークとで成り、前記サブループのネットワーク内の複数の局に同一の波長を割り当て、時分割多重伝送方式によって情報発信を行うようにしたことを特徴とする請求項１〜３のいずれかに記載の放送型光ネットワークシステム。
【請求項５】
複数のループ状ネットワークがメインループをなすネットワークとそれに隣接するサブループをなすネットワークとで成り、前記サブループのネットワーク内の複数の局それぞれに個別に波長を割り当て、当該サブループのネットワークと前記メインループのネットワークとを接続する前記接続ノードにおいて、前記サブループ内で用いた波長を前記メインループで用いる波長に波長変換することを特徴とする請求項１〜３のいずれかに記載の放送型光ネットワークシステム。
【請求項６】
前記複数のループ状ネットワーク上に、数１００ｋｍおきに再生中継器を設置したことを特徴とする請求項１〜５のいずれかに記載の放送型光ネットワークシステム。
【発明の詳細な説明】
【０００１】
【発明の属する技術分野】
本発明は、放送型光ネットワークシステムに関する。
【０００２】
【従来の技術】
映像情報を全国規模で配信しようとすると、その情報量が膨大であるゆえに、現在の映像伝送ネットワークはＡＴＭ（Ａｓｙｎｃｈｒｏｎｏｕｓ  Ｔｒａｎｓｆｅｒ  Ｍｏｄｅ）交換器若しくは専用線を一時的に割り当てる方式を利用しており、全国の任意の発呼に対しての割り当ては、ネットワークを管理する人手によるスケジューリングを介している。
【０００３】
【発明が解決しようとする課題】
このような従来の映像情報の配信方式では、各対地の送り手、受け手のみの意思によって任意の時間帯に自由に通信することができない不便さ、煩わしさがあった。
【０００４】
本発明はこのような従来の問題点に鑑みてなされたもので、各対地の送り手、受け手のみによって自由に映像情報のような大容量の情報が配信できるネットワークシステムを提供することを目的とする。
【０００５】
【課題を解決するための手段】
請求項１の発明の放送型光ネットワークシステムは、複数のループ状ネットワークで成り、ネットワーク内の複数の局のいずれからも当該ネットワーク内の他のすべての局へ片方向通信ができる光ネットワークシステムであって、隣接するループ状ネットワーク間に配置された接続ノードを備え、前記局のいずれにも最低１波長が割り当てられ、前記局のいずれもが、割り当てられた波長を用いて情報を発信し、他のいずれの局から発信されたいずれの波長の情報も受信することができ、かつ必要な波長の情報のみを選択して受信する対向局を選択することができ、前記局のいずれもが、波長の情報の積込み機能と積替え機能を有し、かつ自局から発信した波長の情報の多重周回を防ぐために前記ネットワーク内を周回してきた自局発の波長の情報を破棄する機能を有し、前記接続ノードは、一方のループ状ネットワークからのすべての波長の情報をいったん取込んで保持するとともに他方のループ状ネットワークに周回させ、前記他方のループ状ネットワーク内の局で積み替えられた波長の情報を、保持していた当該波長の情報に積み替えて前記一方のループ状ネットワークに送出する機能を有することを特徴とする。
【０００６】
請求項２の発明は、請求項１の放送型光ネットワークシステムにおいて、少なくとも１つのループ状ネットワークの信号伝送方式として波長多重方式を採用したことを特徴とする。
【０００８】
請求項３の発明は、請求項１または２の放送型光ネットワークシステムにおいて、任意のループ状ネットワーク内に収容ノードを設け、当該収容ノードに複数の局を接続し、各局から当該収容ノードを介して前記複数のループ状ネットワークに情報を発信し、かつ他局からの情報を受信するようにしたことを特徴とする。
【０００９】
請求項４の発明は、請求項１〜３のいずれかの放送型光ネットワークシステムにおいて、複数のループ状ネットワークがメインループをなすネットワークとそれに隣接するサブループをなすネットワークとで成り、前記サブループのネットワーク内の複数の局に同一の波長を割り当て、時分割多重伝送方式によって情報発信を行うようにしたことを特徴とする。
【００１０】
請求項５の発明は、請求項１〜３のいずれかの放送型光ネットワークシステムにおいて、複数のループ状ネットワークがメインループをなすネットワークとそれに隣接するサブループをなすネットワークとで成り、前記サブループのネットワーク内の複数の局それぞれに個別に波長を割り当て、当該サブループのネットワークと前記メインループのネットワークとを接続する前記接続ノードにおいて、前記サブループ内で用いた波長を前記メインループで用いる波長に波長変換することを特徴とする。
【００１２】
請求項６の発明は、請求項１〜５の放送型光ネットワークシステムにおいて、前記複数のループ状ネットワーク上に、数１００ｋｍおきに再生中継器を設置したことを特徴とする。
【００１３】
【発明の実施の形態】
以下、本発明の実施の形態を図に基づいて詳説する。図１は本発明の第１の実施の形態のシステム構成を示している。本実施の形態の放送型光ネットワークシステムは、メインループである＃１のネットワークＬ１と、サブループである＃２，＃３のネットワークＬ２，Ｌ３とから成る。各ループＬ１，Ｌ２，…には、情報を発信する局ＳＴ１１，ＳＴ１２，…、隣接するネットワークループ間を接続する接続ノードＮＣ１１，ＮＣ１２，…、１又は複数の局を収容する収容ノードＮＭ１１，ＮＭ１２，…が設けられている。
【００１４】
そして各局ＳＴ１１，ＳＴ１２，…のすべてには、それぞれ自局用に他の局とは異なった波長λ１，λ２，…が割り当てられている。
【００１５】
また接続ノードＮＣ１１，ＮＣ１２，…と収容ノードＮＭ１１，ＮＭ１２，…は次の機能を有している。図２に示すように、メインループをなすネットワークＬｉと隣接するサブループネットワークＬｊとがある。そしてサブループネットワークＬｊには波長λ３の割り当てられた局ＳＴｊｍと、収容ノードＮＭｊｋがあり、さらにこの収容ノードＮＭｊｋには波長λ２が割り当てられた局が接続されているとする。
【００１６】
このようなシステムにあって、接続ノードＮＣｉｊは、メインループＬｉを周回してきた波長λ１，λ２，λ３，λ４，λ５，λ６，…をすべていったん取り込み、隣接するサブループネットワークＬｊにも周回させる。
【００１７】
そして収容ノードＮＭｊｋでは、ネットワーク上を周回する波長λ１，λ２，λ３，λ４，λ５，λ６，…の中から、自ノードに収容する局の波長であるλ２を破棄し、新たに局から送り込まれてきた波長λ２に情報を乗せ込ませる（以下、新たに情報が乗せ込まれた波長を下線を付して示すことにする）。また局ＳＴｊｍでは、自局に割り当てられている波長λ３に新たな情報を組み込んで送り出す。
【００１８】
接続ノードＮＣｉｊでは、サブループＬｊからそこを周回してきた波長λ１，λ２，λ３，λ４，λ５，λ６，…の信号を受け取ると、それまで保持していたメインループＬｉ上の波長λ１，λ２，λ３，λ４，λ５，λ６，…から旧くなった波長λ２，λ３を破棄し、サブループＬｊの周回中に更新された波長λ２，λ３を乗せ込み、新しく積み替えられた波長λ１，λ２，λ３，λ４，λ５，λ６，…をこのメインループＬｉ上に送り出す。
【００１９】
このような機能を有する接続ノードＮＣ（符号ＮＣのみで代表させる。他の要素も同様）、収容ノードＮＭ、局ＳＴ（これには、収容ノードＮＭに収容されている「従属局」と、ネットワークループ上に直接組み込まれている「独立局」とがある）はそれぞれ、図３、図４、図５及び図６に示す構成を備えている。
【００２０】
図３に示した接続ノードＮＣは、ネットワーク上を周回する光信号を多数の波長に分波し、不要な波長を破棄する分波装置１１、別のループからの光信号を多数の波長の信号に分波し、不要な波長の信号を破棄する分波装置１２、必要に応じて設置される再生中継装置（不要な場合は設置されない）１３、通過させる波長と新たに乗せ込ませる波長とを合波する合波装置１４、そしてこの合波装置１４の後段に設けられた分配装置１５から構成されている。この分配装置１５は、収容局や隣接する別のループへ所定の波長の信号を分配するものである。
【００２１】
また図４に示すように、収容局ＮＭは、ネットワークを周回する光信号λ１，λ２，λ３，λ４に対してある波長の信号λ１を破棄し、収容している従属局ＳＴからの所定の波長の信号λ１を乗せ込む波長ＡＤＭ装置２１、必要に応じて設置される再生中継装置２２、そして従属局へ所定の波長の信号λ２を分配する分配装置２３から構成されている。
【００２２】
さらに図５に示すように、収容ノードＮＭに接続されている従属局ＳＴは、ネットワークを周回する多数の波長の信号から所定の波長の信号を選択して取り込む波長選択器３１、光受信器３２、そして所定波長の光信号を送り出す光送信器３３から構成されている。
【００２３】
また図６に示すように、ネットワークループ上に直接に組み込まれている独立局ＳＴは、ネットワークを周回する多数の波長の信号を分配する分配装置４１、この分配装置４１により分配された多数の波長の信号から所定の波長の信号を選択して取り込む波長選択器４２、光受信器４３、所定の波長の光信号を送り出す光送信器４４、そしてネットワークを周回する光信号に対して多重周回を避けるために所定の波長の信号を破棄し、光送信器４４からの所定の波長の信号を乗せ込む波長ＡＤＭ装置４５から構成されている。
【００２４】
これにより、第１の実施の形態によれば、光ネットワークにおいて波長多重光伝送方式を採用し、局毎に独自の波長を割り当てているので、大量の情報をネットワーク上に流して対向局に送信することができ、情報送信のための制約が少なくなる。
【００２５】
なお、ネットワーク上において数10km程度おきに光増幅器を設置し、数100km程度おきに再生中継装置を設置することにより、信号品質を高く維持し、システムの信頼性を高めることができる。これは以下のいずれの実施の形態においても同様である。そして、光増幅器や再生中継装置は、ネットワークループ上に直接設置しても、また局内、接続ノード内又は収容ノード内に設置することもできる。
【００２６】
次に、本発明の第２の実施の形態の放送型光ネットワークシステムについて、説明する。第２の実施の形態の特徴は、システム内の波長数の増加を防止するために、接続ノードに収容されている局や収容ノードに収容されている複数の局に同一の波長を割り当て、時分割多重によって発信情報を多重化することにある。
【００２７】
第２の実施の形態のシステムの概要は、第１の実施の形態と同様に図１及び図２に示すものである。そして、接続ノードＮＣは図７に示す構成であり、収容ノードＮＭは図８に示す構成である。
【００２８】
図７に示すように、メインループＬｍに接続ノードＮＣによってサブループＬｓが接続され、また複数の局ＳＴが収容されているとする。この接続ノードＮＣは、図３に示した第１の実施の形態と同様の分波装置１１、サブループＬｓからの光信号に対する分波装置１２、必要に応じて設置される再生中継装置１３、合波装置１４、分配装置１５を備え、さらに、本実施の形態の特徴である時分割多重装置１６を備えている。
【００２９】
図８に示すように１つのループＬに収容ノードＮＭによって複数の局ＳＴが収容されている。この収容ノードＮＭも、図４に示した第１の実施の形態と同様の分波装置２１、再生中継装置２２、合波装置２３、分配装置２４を備え、本実施の形態の特徴である時分割多重装置２５を備えている。
【００３０】
これらの時分割多重装置１６，２５はいずれも、分波装置１１，２１から取り込んだ波長（ここではλ３としている）に対して複数局からの情報を時分割多重し、それを再び光波長λ３に変換し、新しい情報が加えられた波長λ３として合波装置２３に送り込む働きをなす。ここで、各局は時分割多重のある時間スロットが割り当てられており、そのスロット上に新しい情報を上書きすることになる。
【００３１】
なお、このように光波長λ３に時分割多重された各局の情報を他の局において取り出すためには少なくともそのような発信局からの情報を必要とする局においては波長選択器と共に、時分割多重に対応したデコーダを備えているものとする。
【００３２】
これにより、特にシステム全体で使用する光信号波長数を節約することができる。
【００３３】
次に、本発明の第３の実施の形態を図９に基づいて説明する。第３の実施の形態は、例えば、図１に示したネットワークシステムのメインループＬ１における独立局ＳＴ１１のように、近くに収容ノードＮＭ又は接続ノードＮＣがある場合に、その局に臨時に、当該ループを周回している波長と重ならない波長を割り当て（ここでは、λ１〜λ３が周回していて、波長λ４を割り当てている）、近くの収容ノード又は接続ノードにおいて、それに収容されている他の局の波長に時分割多重して配信することを特徴とする。
【００３４】
図９において、他のノードからループＬ上を波長λ１，λ２，λ３，λ４が周回しているとする。局ＳＴではこれから分配器４５で波長を取り込み、受信装置４６で必要な波長の情報を受信する。そして発信情報は、光送信装置４７でループＬ上を周回していない波長（これをλ５とする）に乗せ、合波器４８によってループ上の波長λ１，λ２，λ３，λ４と合波してループＬに送り出す。従って、この局ＳＴに近い接続ノードＮＣは波長λ１，λ２，λ３，λ４，λ５を受け取ることになる。
【００３５】
この接続ノードＮＣでは、分波装置１１によって当該ノードで新たに乗せ込む波長λ５と、局ＳＴから送り出されてきた臨時の波長λ５とを分波する。そして時分割多重装置１６にこの波長を使って送られてくる情報を取り込み、新たに自ノードに収容している複数の局それぞれからの情報を時分割多重で１つの波長に乗せ込み（この波長をλ４とする）、また先ほどの局ＳＴからの波長λ５の情報についても、ここで波長λ４に変換し、時分割多重で波長λ４に乗せる。そして合波装置１４によって他の波長λ１，λ２，λ３と合波し、波長λ１，λ２，λ３，λ４をループＬの後続部分に周回させる。
【００３６】
これにより、時分割多重技術を採用している場合に、従属局ではなく、独立局についても近くの従属局と共に時分割多重伝送方式で１つの波長（ここではλ５）を共用することができ、システム全体で必要とする波長数を削減することができることになる。
【００３７】
次に、本発明の第４の実施の形態の放送型光ネットワークシステムを、図１０〜図１２に基づいて説明する。第３の実施の形態の特徴は、収容ノードでの波長ＡＤＭ装置を省略するためにループ内に専用波長を割り当て、接続ノードにおいてメインループに渡す際に正規の波長に変換して受け渡す点にある。
【００３８】
図１０に示すように、メインループＬｍとサブループＬｓを接続する接続ノードＮＣには、図３に示した第１の実施の形態と同様の分波装置１１、波長分波装置１２、必要に応じて設置される再生中継装置１３、合波装置１４、分配装置１５を備え、さらに、上述した専用波長を使用するサブループＬｓに対応して再生中継・配信波長変換装置１３０を備えている。
【００３９】
この再生中継・配信波長変換装置１３０は、サブループＬｓから送り込まれてくる専用波長（例えば、λＡ〜λＤとする）をメインループＬｍ上を周回させるための所定波長（例えば、λ１〜λ４とする）に変換すると共に必要に応じて波形成形、増幅を行う。
【００４０】
図１１に示すように、専用波長を用いるサブループＬｓ上の収容ノードＮＭは、図４に示した第１の実施の形態の収容ノードに対して、波長ＡＤＭ装置が省略されていて、波長多重装置２７と３ｄＢカプラ２８とを備えている。
【００４１】
サブループＬｓ上に収容ノードＮＭは、次の働きをする。サブループＬｓに対しては、メインループＬｍには使用されていない波長帯域λＡ〜λＤが割り当てられているとし、また図１１に示した収容ノードＮＭには波長λＡ，λＢの２波長が割り当てられていて、これらの波長λＡ，λＢがこれに収容されている局ＳＴ毎に割り当てられているとする。
【００４２】
収容ノードＮＭにおいて、各局からの（新たに情報が組み込まれた）信号波長λＡ，λＢは波長多重装置２６によって波長多重され、３ｄＢカプラ２７を経て他ノードからの波長と合波し、次のノードへ送り出す。
【００４３】
サブループＬｓをメインループＬｍに接続する接続ノードＮＣでは、図１０に示すように、サブループＬｓから最終的に送り込まれてくる波長λＡ，λＢ，λＣ，λＤ，λ１，λ２，…から専用波長λＡ，λＢ，λＣ，λＤを取り出し、これらを再生中継・配信波長変換装置１３０によって配信波長λ１，λ２，λ３，λ４へ変換し、合波装置１４によってサブループＬｓから新たに乗せ込まされた波長λ１，λ２，λ３，λ４として他の波長λ５，λ６，…に合波され、次のノードへ送り出される。
【００４４】
これにより、メインループＬｍに対して複数のサブループＬｓ，Ｌｓ＋１，…が接続されている光ネットワークシステムにおいて、各サブループの収容専用波長として共通した波長を割り当てることができ、波長ＡＤＭ装置を必要とせず、システムコストを削減することができる。
【００４５】
次に、本発明の第５の実施の形態を図１３に基づいて説明する。第５の実施の形態の特徴は、図１における局ＳＴ１１３−１のように、親局ＳＴ１１３にのみ接続されている子局に対する光信号の授受を特徴とする。
【００４６】
図１３に示すように、親局ＳＴ１１３は分配器５１と、合波器５２と、波長可変フィルタ５４、光受信器５５及び波長選択器５３と、光送信器５７とを備えている。
【００４７】
そしてこの親局ＳＴ１１３は、収容ノードＮＭから送られてくる波長λ１，λ２，λ３，…，λ９，λ１０，λ１１，…を分配器５１によって子局ＳＴ１１３−１に分配すると共に自局に取り込む。そして自局内では、波長選択器５３において必要な波長の情報を選択して取り出す。そして自局から送出す情報は、波長λ９に乗せ込み（これを波長λ９とする）、これを合波器５２によって子局ＳＴ１１３−１からの波長λ１０と合波し、波長λ９，λ１０を収容ノードＮＭに送り出す。
【００４８】
子局ＳＴ１１３−１では、図１３の親局ＳＴ１１３の構成から分配器５１と合波器５２を削除した構成であり、収容ノードＮＭから親局ＳＴ１１３の分配器５１を経て送られてくる波長λ１，λ２，λ３，…，λ９，λ１０，λ１１，…を取り込む。そして自局内では、波長選択器５３において必要な波長の情報を選択して取り出す。そして自局から送出す情報は、波長λ１０に乗せ込み（これを波長λ１０とする）、これを親局ＳＴ１１３に送り出す。つまり、図５と同じ構成となる。
【００４９】
そして親局ＳＴ１１３では、合波器５２によって上述したように子局ＳＴ１１３−１からの波長λ１０と自局の波長λ９を合波し、波長λ９，λ１０を収容ノードＮＭに送り出すのである。
【００５０】
このようにしてループから地理的に離れていてそれほど重要ではない局に対しては、コストに照らして収容ノードに接続する代わりに、近くに存在する局に接続する方が好ましい場合には、この第５の実施の形態の構成を採用することによりコスト面での節約が図れる。
【００５１】
なお、上記の各実施の形態で用いた符号は説明を簡明にするために用いたものであり、これらに限定されることはなく、波長数、ループ数、局数、ノード数、レイアウトは任意に、かつ適宜に変更することができるものである。
【００５２】
【発明の効果】
請求項１の発明によれば、隣接するループ状ネットワーク間に配置された接続ノードを備え、局のいずれにも最低１波長が割り当てられ、局のいずれもが、割り当てられた波長を用いて情報を発信し、他のいずれの局から発信されたいずれの波長の情報も受信することができ、かつ必要な波長の情報のみを選択して受信する対向局を選択することができ、局のいずれもが、波長の情報の積込み機能と積替え機能を有し、かつ自局から発信した波長の情報の多重周回を防ぐためにネットワーク内を周回してきた自局発の波長の情報を破棄する機能を有し、接続ノードは、一方のループ状ネットワークからのすべての波長の情報をいったん取込んで保持するとともに他方のループ状ネットワークに周回させ、前記他方のループ状ネットワーク内の局で積み替えられた波長の情報を、保持していた当該波長の情報に積み替えて前記一方のループ状ネットワークに送出する機能を有するので、各局は必要に応じて随時に自局に割当てられた波長を用いて情報を発信することができ、映像情報を自由に全国規模で配信することができ、波長数、ループ数、局数、ノード数、レイアウトを任意に、かつ適宜変更して放送型光ネットワークを構成できる。
【００５３】
請求項２の発明によれば、請求項１の発明の効果に加えて、少なくとも１つのループ状ネットワークの信号伝送方式として波長多重方式を採用したので、伝送路として用いる光ファイバの心線を少なくすることができ、システムコストを低減できる。
【００５５】
請求項３の発明によれば、請求項１〜２の発明の効果に加えて、任意のループ状ネットワーク内に収容ノードを設け、当該収容ノードに複数の局を接続し、各局から当該収容ノードを介して複数のループ状ネットワークに情報を発信し、かつ他局からの情報を受信するようにしたので、任意の局から他の多くの局にその局特有の波長で情報を発信することができる。
【００５６】
請求項４の発明によれば、請求項１〜３の発明の効果に加えて、複数のループ状ネットワークがメインループをなすネットワークとそれに隣接するサブループをなすネットワークとで成り、サブループのネットワーク内の複数の局に同一の波長を割り当て、時分割多重伝送方式によって情報発信を行うようにしたので、波長の数を節約することができる。
【００５７】
請求項５の発明によれば、請求項１〜３の発明の効果に加えて、複数のループ状ネットワークがメインループをなすネットワークとそれに隣接するサブループをなすネットワークとで成り、サブループのネットワーク内の複数の局それぞれに個別に波長を割り当て、当該サブループのネットワークと前記メインループのネットワークとを接続する前記接続ノードにおいて、前記サブループ内で用いた波長を前記メインループで用いる波長に波長変換するので、複数のサブループそれぞれに同一の波長を使用させることができ、システムとして必要とする波長の数を節約することができる。
【００５９】
請求項６の発明によれば、請求項１〜５の発明の効果に加えて、複数のループ状ネットワーク上に、数１００ｋｍ程度おきに再生中継器を設置したので、地理的に広いエリアにおいてネットワークを組み、高品質の情報配信が可能である。
【図面の簡単な説明】
【図１】本発明の第１の実施の形態のシステム構成を示すブロック図。
【図２】上記の実施の形態における接続ノードと収容ノードとの関係を示すブロック図。
【図３】上記の実施の形態における接続ノードの構成を示すブロック図。
【図４】上記の実施の形態における収容ノードの構成を示すブロック図。
【図５】上記の実施の形態のおける局の構成を示すブロック図。
【図６】上記の実施の形態における別の曲の構成を示すブロック図。
【図７】本発明の第２の実施の形態における接続ノードの構成を示すブロック図。
【図８】上記の実施の形態における収容ノードの構成を示すブロック図。
【図９】本発明の第３の実施の形態における局及び収容ノードの構成を示すブロック図。
【図１０】本発明の第４の実施の形態における接続ノードの構成を示すブロック図。
【図１１】上記の実施の形態における収容ノードの構成を示すブロック図。
【図１２】上記の実施の形態におけるサブループで用いる波長とメインループで用いる配信波長との関係を示す説明図。
【図１３】本発明の第５の実施の形態における局の構成を示すブロック図。
【符号の説明】
ＳＴ  局
ＮＭ  収容ノード
ＮＣ  接続ノード
λ  波長
Ｌ  ネットワークループ
【図１】
0003703006.tif 000002
【図２】
0003703006.tif 000003
【図３】
0003703006.tif 000004
【図４】
0003703006.tif 000005
【図５】
0003703006.tif 000006
【図６】
0003703006.tif 000007
【図７】
0003703006.tif 000008
【図８】
0003703006.tif 000009
【図９】
0003703006.tif 000010
【図１０】
0003703006.tif 000011
【図１１】
0003703006.tif 000012
【図１２】
0003703006.tif 000013
【図１３】
0003703006.tif 000014